(57)【要約】【課題】最適条件でＴＶ電話通話を可能なテレビ電話機能付き携帯電話端末を提供する。【解決手段】制御部１３はＴＶ電話通信中の場合、操作部によって機能設定変更操作が行われると、ＴＶ電話設情報エンコード手段１３５にて操作部からの操作入力情報をエンコードして設定情報を生成する。制御部１３はデータ通信機能手段１３２にて入力された設定情報をマルチアクセス通信によるデータ通信にてＴＶ電話通信先に発信する。制御部１３はデータ通信受信であれば、ＴＶ電話設定情報デコード手段１３６にて受信信号をデコードしてＴＶ電話設定情報を得る。制御部１３はＴＶ電話設定情報を基にＴＶ電話機能設定手段１３４にてＴＶ電話機能、カメラ機能の設定変更を行う。【選択図】      図１
2004349899.tif 000002
【特許請求の範囲】
【請求項１】
音声と映像とを通話先に同時に通信する画像通話が可能なテレビ電話機能付きの携帯電話端末であって、前記音声と前記映像との同時送受信を行うデータ通信にて前記テレビ電話機能の設定情報を送信する手段を有することを特徴とする携帯電話端末。
【請求項２】
前記データ通信にて前記通話先から受信した前記設定情報を基に前記テレビ電話機能の設定を行う手段を含むことを特徴とする請求項１記載の携帯電話端末。
【請求項３】
音声と映像とを通話先に同時に通信する画像通話が可能なテレビ電話機能付きの携帯電話端末であって、前記音声と前記映像との同時送受信を行うデータ通信にて前記通話先から受信した前記設定情報を基に前記テレビ電話機能の設定を行う手段を有することを特徴とする携帯電話端末。
【請求項４】
前記テレビ電話機能の設定情報は、少なくとも前記映像を撮像するカメラ機能の設定情報を含むことを特徴とする請求項１から請求項３のいずれか記載の携帯電話端末。
【請求項５】
音声と映像とを通話先に同時に通信する画像通話が可能なテレビ電話機能付きの携帯電話端末のテレビ電話機能設定方法であって、前記携帯電話端末側に、前記音声と前記映像との同時送受信を行うデータ通信にて前記テレビ電話機能の設定情報を送信するステップを有することを特徴とするテレビ電話機能設定方法。
【請求項６】
前記携帯電話端末側に、前記データ通信にて前記通話先から受信した前記設定情報を基に前記テレビ電話機能の設定を行うステップを含むことを特徴とする請求項５記載のテレビ電話機能設定方法。
【請求項７】
音声と映像とを通話先に同時に通信する画像通話が可能なテレビ電話機能付きの携帯電話端末のテレビ電話機能設定方法であって、前記携帯電話端末側に、前記音声と前記映像との同時送受信を行うデータ通信にて前記通話先から受信した前記設定情報を基に前記テレビ電話機能の設定を行うステップを有することを特徴とするテレビ電話機能設定方法。
【請求項８】
前記テレビ電話機能の設定情報は、少なくとも前記映像を撮像するカメラ機能の設定情報を含むことを特徴とする請求項５から請求項７のいずれか記載のテレビ電話機能設定方法。
【請求項９】
音声と映像とを通話先に同時に通信する画像通話が可能なテレビ電話機能付きの携帯電話端末のテレビ電話機能設定方法のプログラムであって、コンピュータに、前記音声と前記映像との同時送受信を行うデータ通信にて前記テレビ電話機能の設定情報を送信する処理を実行させるためのプログラム。
【請求項１０】
音声と映像とを通話先に同時に通信する画像通話が可能なテレビ電話機能付きの携帯電話端末のテレビ電話機能設定方法のプログラムであって、コンピュータに、前記音声と前記映像との同時送受信を行うデータ通信にて前記通話先から受信した前記設定情報を基に前記テレビ電話機能の設定を行う処理を実行させるためのプログラム。
【請求項１１】
音声と映像とを通話先に同時に通信する画像通話が可能なテレビ電話機能付きの携帯電話端末のテレビ電話機能設定方法のプログラムであって、コンピュータに、前記音声と前記映像との同時送受信を行うデータ通信にて前記テレビ電話機能の設定情報を送信する処理と、前記音声と前記映像との同時送受信を行うデータ通信にて前記通話先から受信した前記設定情報を基に前記テレビ電話機能の設定を行う処理とを実行させるためのプログラム。
【発明の詳細な説明】
【０００１】
【発明の属する技術分野】
本発明は携帯電話端末及びそれに用いるテレビ電話機能設定方法並びにそのプログラムに関し、特に携帯電話端末に備えたテレビ電話機能における各種設定に関する。
【０００２】
【従来の技術】
従来、テレビ電話機能付きの携帯電話端末においては、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）等の無線通信技術によって、音声と、静止画や動画等の画像とを通信可能となっている。
【０００３】
この場合、携帯電話端末においては、音声通信が８ｋｂｐｓ程度の低速なデータ伝送速度で充分なのに対し、音声とともに画像を伝送するのに６４ｋｂｐｓ以上の高速なデータ伝送速度が要求される。したがって、携帯電話端末における電波状態が悪化するような場合には、画像が乱れたり、回線断となる可能性がある。
【０００４】
これを解決するための方法としては、電波状態等によって画像を通信するのに充分なデータ伝送速度が得られない場合に、音声通話のみに切替える方法が提案されている（例えば、特許文献１参照）。
【０００５】
一方、テレビ電話機能付きの携帯電話端末においては、テレビ電話による通話を行うと同時に、データ通信を行う機能（以下、マルチアクセス機能とする）によって、音声と映像（静止画もしくは動画）とを伝送させている。
【０００６】
この場合、映像及び音声による通信は、制御部によって、撮像部によって撮影された画像及び音声入力部によって入力された音声を送信し、受信した映像を表示部に表示し、受信した音声を音声出力部によって出力することで実現されている。この通話に関わる操作は操作部によって行われる。
【０００７】
データ通信は、制御部によって、受信したデータが文字や画像である場合に表示情報として表示部に表示する。このデータ通信に関わる操作は操作部によって行われる。
【０００８】
さらに、マルチアクセス機能による通信時（マルチアクセス通信）は、ＴＶ電話通話とデータ通信とを、マルチアクセス機能手段によって同時に実施している。この場合、テレビ電話機能付きの携帯電話端末では、撮像部を構成するカメラのズーム倍率等、さまざまな機能設定を行うことができる。
【０００９】
【特許文献】
特開２０００−３６８７５号公報（第３〜５頁、図１，２）
【００１０】
【発明が解決しようとする課題】
しかしながら、上述した従来のテレビ電話機能付きの携帯電話端末では、通話の相手の周辺環境によって左右されるため、自局が行ったＴＶ電話機能設定の状態が必ずしも相手側の求める状態と一致しないという問題がある。
【００１１】
また、従来のテレビ電話機能付きの携帯電話端末では、ＴＶ電話機能設定を自己の携帯電話端末に対してしかできないため、上記の問題を解決するのに、ＴＶ電話通話によって相手方にＴＶ電話機能の設定変更を依頼し、手操作で設定を行う必要がある。
【００１２】
そこで、本発明の目的は上記の問題点を解消し、最適条件でＴＶ電話通話を可能とすることができる携帯電話端末及びそれに用いるテレビ電話機能設定方法並びにそのプログラムを提供することにある。
【００１３】
【課題を解決するための手段】
本発明による携帯電話端末は、音声と映像とを通話先に同時に通信する画像通話が可能なテレビ電話機能付きの携帯電話端末であって、前記音声と前記映像との同時送受信を行うデータ通信にて前記テレビ電話機能の設定情報を送信する手段を備えている。
【００１４】
本発明による他の携帯電話端末は、音声と映像とを通話先に同時に通信する画像通話が可能なテレビ電話機能付きの携帯電話端末であって、前記音声と前記映像との同時送受信を行うデータ通信にて前記通話先から受信した前記設定情報を基に前記テレビ電話機能の設定を行う手段を備えている。
【００１５】
本発明によるテレビ電話機能設定方法は、音声と映像とを通話先に同時に通信する画像通話が可能なテレビ電話機能付きの携帯電話端末のテレビ電話機能設定方法であって、前記携帯電話端末側に、前記音声と前記映像との同時送受信を行うデータ通信にて前記テレビ電話機能の設定情報を送信するステップを備えている。
【００１６】
本発明による他のテレビ電話機能設定方法は、音声と映像とを通話先に同時に通信する画像通話が可能なテレビ電話機能付きの携帯電話端末のテレビ電話機能設定方法であって、前記携帯電話端末側に、前記音声と前記映像との同時送受信を行うデータ通信にて前記通話先から受信した前記設定情報を基に前記テレビ電話機能の設定を行うステップを備えている。
【００１７】
本発明によるテレビ電話機能設定方法のプログラムは、音声と映像とを通話先に同時に通信する画像通話が可能なテレビ電話機能付きの携帯電話端末のテレビ電話機能設定方法のプログラムであって、コンピュータに、前記音声と前記映像との同時送受信を行うデータ通信にて前記テレビ電話機能の設定情報を送信する処理を実行させている。
【００１８】
本発明による他のテレビ電話機能設定方法のプログラムは、音声と映像とを通話先に同時に通信する画像通話が可能なテレビ電話機能付きの携帯電話端末のテレビ電話機能設定方法のプログラムであって、コンピュータに、前記音声と前記映像との同時送受信を行うデータ通信にて前記通話先から受信した前記設定情報を基に前記テレビ電話機能の設定を行う処理を実行させている。
【００１９】
本発明による別のテレビ電話機能設定方法のプログラムは、音声と映像とを通話先に同時に通信する画像通話が可能なテレビ電話機能付きの携帯電話端末のテレビ電話機能設定方法のプログラムであって、コンピュータに、前記音声と前記映像との同時送受信を行うデータ通信にて前記テレビ電話機能の設定情報を送信する処理と、前記音声と前記映像との同時送受信を行うデータ通信にて前記通話先から受信した前記設定情報を基に前記テレビ電話機能の設定を行う処理とを実行させている。
【００２０】
すなわち、本発明の携帯電話端末は、テレビ電話による通話を行うのと同時に、データ通信を行う機能（以下、マルチアクセス機能とする）を持ち、音声及び映像（静止画もしくは動画）の同時通信が可能な携帯電話端末において、画像通話の相手方に対して、マルチアクセス機能のデータ通信を使用することによって、相手方の携帯電話端末のカメラ設定を含むテレビ電話機能設定をリアルタイムに遠隔制御可能とする構成を提供するものである。
【００２１】
より具体的に説明すると、本発明の携帯電話端末では、画像通話中に、操作部によって入力された相手方のカメラ制御指示情報、もしくは予めメモリ部に記憶された指示内容に基づいて、マルチアクセス機能によって通信されるデータ通信情報を遠隔制御情報として相手方に送信する。この場合のデータ通信情報形態としては電子メール様式や専用のフォーマット等がある。
【００２２】
相手方の携帯電話端末の制御部は、マルチアクセス機能によって受信したデータ通信の制御情報に基づいて、テレビ電話機能設定を変更する。これによって、本発明の携帯電話端末では、携帯電話端末同士で画像通信を行っている場合に、画像通信の相手方の携帯電話端末のカメラ制御（例えば、ズーム機能を有するカメラを想定すると、ズーム倍率等の変更）を遠隔制御することが可能となる。
【００２３】
したがって、本発明の携帯電話端末では、画像通話の相手に対して、自局からＴＶ電話やカメラの設定情報をマルチアクセス機能によるデータ通信を利用して遠隔制御するので、最適条件でＴＶ電話通話が可能となる。
【００２４】
また、本発明の携帯電話端末では、画像通話の相手に対して、自局からＴＶ電話やカメラの設定情報をマルチアクセス機能によるデータ通信を利用して遠隔制御するため、ＴＶ電話の通信フォーマットに無関係に遠隔制御を行うことが可能となる。
【００２５】
【発明の実施の形態】
次に、本発明の実施例について図面を参照して説明する。図１は本発明の一実施例による携帯電話端末の構成を示すブロック図である。図１において、携帯電話端末１はアンテナ１１と、無線通信機能部１２と、制御部１３と、メモリ部１４と、撮像部１５と、表示部１６と、操作部１７と、音声入力部１８と、音声出力部１９と、電池２０と、電源部２１とから構成されている。
【００２６】
無線通信機能部１２はアンテナ１１を介して無線通信を行う。制御部１３はプログラム制御によって動作し、各部の制御を行う。メモリ部１４は制御部１３で実行されるプログラム（コンピュータで実行可能なプログラム）や画像データ等を格納する。
【００２７】
撮像部１５は静止画や動画を撮影してディジタル信号に変換するＣＣＤ（Ｃｈａｒｇｅ  Ｃｏｕｐｌｅｄ  Ｄｅｖｉｃｅ）カメラ等からなる。表示部１６は画像や文字を表示するためのＬＣＤ（Ｌｉｑｕｉｄ  Ｃｒｙｓｔａｌ  Ｄｉｓｐｌａｙ）等からなる。操作部１７はテンキーや各種機能キーからなる。
【００２８】
音声入力部１８は音声通話のためのマイクであり、音声出力部１９はレシーバやスピーカである。電池２０は携帯電話端末１を動作させるための電源であり、電源部２１は電池２０を安定化させ、電源を携帯電話端末１内の各機能部へ分配する。
【００２９】
図２は図１の制御部１３の構成を示すブロック図である。図２において、制御部１３はＴＶ電話通話を行うためのＴＶ電話機能手段１３１と、データ通信を行うためのデータ通信機能手段１３２と、ＴＶ電話機能手段１３１とデータ通信機能手段１３２とを同時に機能させるためのマルチアクセス機能手段１３３と、ＴＶ電話機能の設定とカメラ機能の設定とを行うためのＴＶ電話機能設定手段１３４と、相手方のＴＶ電話機能設定を遠隔制御するための設定情報をデータ通信情報へ変換するためのＴＶ電話設定情報エンコード手段１３５と、相手方から届いたデータ通信情報から自端末のＴＶ電話機能設定情報を取出すためのＴＶ電話設定情報デコード手段１３６とから構成されている。
【００３０】
図３は本発明の一実施例による携帯電話端末１のＴＶ電話機能の設定動作を示すフローチャートである。これら図１〜図３を参照して本発明の一実施例による携帯電話端末１のＴＶ電話機能の設定動作について説明する。尚、図３に示す動作は制御部１３がメモリ部１４のプログラムを実行することで実現される。
【００３１】
携帯電話端末１の制御部１３はＴＶ電話通信中の場合（図３ステップＳ１）、操作部１７によって機能設定変更操作が行われると（図３ステップＳ２）、ＴＶ電話設情報エンコード手段１３５にて操作部１７からの操作入力情報をエンコードして設定情報を生成する（図３ステップＳ３）。
【００３２】
制御部１３はデータ通信機能手段１３２にて入力された設定情報をマルチアクセス通信によるデータ通信にてＴＶ電話通信先に発信する（図３ステップＳ４）。制御部１３は上記の処理をＴＶ電話通信が終了するまで繰返し行う（図３ステップＳ１〜Ｓ５）。
【００３３】
一方、制御部１３はデータ通信受信であれば（図３ステップＳ６）、ＴＶ電話設定情報デコード手段１３６にて受信信号をデコードしてＴＶ電話設定情報を得る（図３ステップＳ７）。
【００３４】
制御部１３はＴＶ電話設定情報デコード手段１３６で得たＴＶ電話設定情報を基に、ＴＶ電話機能設定手段１３４にてＴＶ電話機能、カメラ機能の設定変更を行う（図３ステップＳ８）。制御部１３は上記の処理をＴＶ電話通信が終了するまで繰返し行う（図３ステップＳ６〜Ｓ８，Ｓ５）。
【００３５】
図４及び図５は図１の表示部１６へのＴＶ電話通話時の表示例を示す図である。これら図１と図２と図４と図５とを参照して、本発明の実施例によるＴＶ電話機能の設定動作について説明する。
【００３６】
初めに、通常のＴＶ電話通話、データ通信、及びマルチアクセス通信について説明する。映像及び音声による通信は制御部１３によって、撮像部１５で撮影された画像及び音声入力部１８から入力された音声を同時に送信し、受信した映像を表示部１６に表示し、受信した音声を音声出力部１９から出力させることによって実現される。また、この通話に関わる操作は操作部１７によって行われる。この時の表示画面例を図４に示す。図４には表示部１６において、受信画像Ａ２が大きく、送信画像Ａ１が小さく表示されている例を示している。
【００３７】
続いて、データ通信は制御部１３によって、受信したデータが文字や画像である場合に表示情報として表示部１６に表示する。また、このデータ通信に関わる操作は操作部１７によって行われる。
【００３８】
また、マルチアクセス機能による通信時（マルチアクセス通信）には、上記のＴＶ電話通話とデータ通信とを、マルチアクセス機能手段１３３によって同時に実施することができる。以上の処理動作は公知の技術である。
【００３９】
次に、ＴＶ電話通話の相手方のＴＶ電話機能設定を遠隔制御する動作について説明する。携帯電話端末１においては、操作部１７から、一例として相手方携帯電話端末のカメラのズーム機能設定を変更する操作を行うものとする。
【００４０】
制御部１３内のＴＶ電話設情報エンコード手段１３５はデータ通信機能手段１３２に対して設定情報を入力する。データ通信機能手段１３２は入力された設定情報をデータ通信によって相手方の携帯電話端末１宛に発信する。これはマルチアクセス通信によって行われるため、ＴＶ電話通話中に即座に行われる。
【００４１】
相手方の携帯電話端末１では、ＴＶ電話通信中に、マルチアクセス通信によってＴＶ電話設定情報を含むデータをデータ通信機能手段１３２によって受取り、ＴＶ電話設定情報デコード手段１３６によって必要なＴＶ電話設定情報を得る。このＴＶ電話設定情報から、ＴＶ電話機能設定手段１３４によってカメラ（図示せず）のズーム機能を変更する。その結果、図５に示すように、カメラのズーム機能の遠隔操作が完了する。図５には表示部１６において、送信画像Ｂ１が図４の送信画像Ａ１と同じ大きさで表示され、受信画像Ｂ２が図４の受信画像Ａ２に比べてズームアップされて表示される例を示している。
【００４２】
このように、本実施例では、画像通話の相手に対して、自端末からＴＶ電話やカメラの設定情報をマルチアクセス機能によるデータ通信を利用して送信することで、相手先の端末に対して遠隔制御を行うことができるので、最適条件でＴＶ電話通話を行うことができる。
【００４３】
また、本実施例では、画像通話の相手に対して、自端末からＴＶ電話やカメラの設定情報をマルチアクセス機能によるデータ通信を利用して送信することで、ＴＶ電話の通信フォーマットと無関係に、相手端末の遠隔制御を行うことができる。
【００４４】
上述した本発明の一実施例では、遠隔制御の一例としてカメラのズーム機能を対象としているが、可変設定可能な項目（例えば、表示部１６における送信画像と受信画像との表示比率等）であれば、他のＴＶ電話やカメラの機能についても全てを遠隔制御の対象とすることが可能である。
【００４５】
【発明の効果】
以上説明したように本発明は、上記のような構成及び動作とすることで、最適条件でＴＶ電話通話を可能とすることができ、ＴＶ電話の通信フォーマットと無関係に、相手端末の遠隔制御を行うことができるという効果が得られる。
【図面の簡単な説明】
【図１】本発明の一実施例によるテレビ電話機能付き携帯電話端末の構成を示すブロック図である。
【図２】図１の制御部の構成を示すブロック図である。
【図３】本発明の一実施例による携帯電話端末のＴＶ電話機能の設定動作を示すフローチャートである。
【図４】図１の表示部へのＴＶ電話通話時の表示例を示す図である。
【図５】図１の表示部へのＴＶ電話通話時の表示例を示す図である。
【符号の説明】
１  携帯電話端末
１１  アンテナ
１２  無線通信機能部
１３  制御部
１４  メモリ部
１５  撮像部
１６  表示部
１７  操作部
１８  音声入力部
１９  音声出力部
２０  電池
２１  電源部
１３１  ＴＶ電話機能手段
１３２  データ通信機能手段
１３３  マルチアクセス機能手段
１３４  ＴＶ電話機能設定手段
１３５  ＴＶ電話設定情報エンコード手段
１３６  ＴＶ電話設定情報デコード手段
【図１】
2004349899.tif 000003
【図２】
2004349899.tif 000004
【図３】
2004349899.tif 000005
【図４】
2004349899.tif 000006
【図５】
2004349899.tif 000007